(57)【要約】【課題】キーボード装置の小型化・軽量化及び信頼性・経済性の向上を図り、膝上操作が可能な構造とする為、操作時左右のキーボードを連結一体化しうるキーボードを提供する。【解決手段】キースイッチは、操作部とスイッチ部に分離可能な構造とし、左右操作部ユニットには各々連結部が形成され、左右操作ユニットを内寄せすることによって連結一体化され、膝上操作が可能であり、メンブレンシートは上下層により形成されており信頼性・耐久性の向上を図っている。【選択図】  図１
2004192592.tif 000002
【特許請求の範囲】
【請求項１】
キーボード装置の基体を基体の中央において左右に分割し、分割された左右のキーボード装置の基体を蝶番等により連結された折畳式キーボード装置において、キースイッチを操作部とスイッチ部に分離可能な構造とし、左右キーボードの操作部ユニットをスライドすることを特徴とする折畳式キーボード装置。
【請求項２】
請求項１のキーボード装置に於いて、左右操作部ユニットには、各々連結部が形成されており、左右の対向するキーボードのスライド部に挿入することにより、左右のキーボードが連結一体化され、膝上操作が可能となることを特徴とするキーボード装置。
【請求項３】
操作部ユニットはキートップに印刷された印刷文字等を除き同一形状となっており、左右操作部ユニットとして使用し得ることが可能な、経済性を考慮した構造となっていることを特徴とするキーボード装置。
【請求項４】
左右の化粧パネルは、形状は略同一構造となっており、切欠き等の一部追加工により左右のいずれの化粧パネルとしても使用可能であり、かつ化粧パネルには補強の為の凹面が形成されていることを特徴とするキーボード装置。
【請求項５】
左右キーボードのメンブレンシートは、中央部の２ヶ所で連結されている一枚構造であり、かつ上下層の２枚よりなり、Ｘ，Ｙマトリックス配線は一方が上層シートに配線され、他方は下層シートに配線されることにより互いに上下層の配線を保護する構造となっていることを特徴とするキーボード装置。
【請求項６】
上下層のメンブレンシートは、接着剤により接着されているが、キースイッチ接点部にはエアベントが設けられており、かつメンブレンシートの前方ブリッジ部分及び後方ブリッジ部分は折り曲げを容易とする為接着材は接着されていないことを特徴とするキーボード装置。
【請求項７】
請求項４における化粧パネルに設けられた凹面部には、ロックスプリングが溶接等により装着されており、該ロックスプリングに設けられた突起部は、左右ユニットの内寄せ或いは外寄せの際の２値の位置決めの為のものであり、またロックスプリングに設けられた爪は、スイッチ操作部の外寄せの際のストッパーでありかつメンブレンシートの位置決めとしてのものであることを特徴とするキーボード装置。
【請求項８】
プリント基板の装着及び接続ケーブルとコネクターを収納する為の底板が、化粧パネルの底面部に熔接等により装着されており、かつ底板に蝶番等により取り付けられた側面板との間でバネにより結合され、左右キーボード間に閉じる力を作用させる構造となっている事を特徴とするキーボード装置。
【発明の詳細な説明】
【０００１】
【産業上の利用分野】
本発明は、キーボード装置に於いて左右の操作ユニットがスライドでき、膝上操作が可能であり、外部情報端末装置との接続が可能なコネクター装置を収納し、小型・軽量であって操作性、経済性かつ信頼性に優れたキーボード装置に関するものである。
【０００２】
【従来の技術】
従来より膝上操作が可能であり、外部情報端末装置との接続が可能なコネクター装置を収納しているキーボード装置は商品化されているが、小型・軽量で膝上操作が可能であり、操作性に優れかつ低価格で信頼性に優れた折畳式キーボード装置は未だ開発されていない。
【０００３】
【発明の解決しようとする課題】
本発明は、上記従来の問題点を解決し、膝上操作が可能であり、小型軽量で低価格で信頼性が高く、かつ接続ケーブルとコネクターを収納可能な折畳式キーボード装置を提供せんとするものである。
【０００４】
【課題を解決する手段】
本発明は、かかる課題を解決する為になされたものであり、操作時においては操作部ユニットに形成された連結部が、キーボードのスライド部に挿入されて左右のキーボードが連結一体化され膝上操作が可能であり、メンブレンシートは上下層の２枚構造となっており、信頼性を高めるとともに、操作部ユニット及び化粧板等は一部形状を変えるのみで左右共通の構造となっており、経済性を考慮した設計となっている。
【０００５】
キーボード装置の基体を中央に於いて左右に分割し、分割された左右のキーボード装置を蝶番（ヒンジ）により連結した折畳式キーボード装置であって、キースイッチは操作部とスイッチ部に分離可能であり、左右の操作部ユニットをスライド可能とした構造となっている。
【０００６】
左右の操作部ユニットには、連結する為の連結部が形成されており、左右のキーボードのスライド部に挿入することにより、一体化され、これにより膝上操作が可能な構造となっている。
【０００７】
操作部ユニットは、経済性を考慮して、キートップの印刷文字等を除き同一構造となっており、左右操作部ユニットとして使用できる。
【０００８】
左右の化粧パネルは、形状は基本的には同じであり同一金型で製造でき、切り欠き等の追加工により左右何れの化粧パネルとしても使用可能であり、かつ化粧パネルは補強のためプレス加工等により凹面が形成されている。
【０００９】
左右キーボードのメンブレンシートは、１枚構造であり中央部の２ヶ所で連結されており、かつ上下層の２枚構成となっている。Ｘ、Ｙマトリックス配線は一方が上層シートに配線され、他方が下層シートに配線されることにより互いに上下層の配線を保護する構造となっており、信頼性の向上に役立っている。
【００１０】
上下層のメンブレンシートは、接着剤により接着されているが、キースイッチ接点部には接触時の体積変化を吸収する為エアベントが設けられており、かつメンブレンシートの中央部の前方ブリッジ部分及び後方ブリッジ部分は折曲げを容易とする為接着剤は接着されていない構造となっている。
【００１１】
左右の化粧パネルに設けられた凹面部には、ステンレス製のロックスプリングがスポット溶接等により装着されており、ロックスプリングには突起が設けられており、この突起は左右ユニットの操作時の内寄せ或いは折畳時の外寄せの際の位置を決める為のものである。またロックスプリングに設けられた爪状突起は、スイッチ操作部の外寄せの際のストッパーの役目をなし、またメンブレンシートの位置決めのためのものでもある。
【００１２】
化粧パネルの底面部には、底板がスポット溶接等により装着されており、底板の上面部にはプリント基板が装着され、下面部には接続ケーブルとコネクターが収納される構造となっている。また底板には側面板が蝶番により取り付けられており、底板と側面板間にコイルバネが取り付けられ、左右キーボード間に閉じる力を働かせる構造となっている。
【００１３】
【発明の実施の形態】
本発明の実施の形態については、図１〜図１７について説明する。図１は本発明によるキーボード装置の操作時の全体平面図である。図１ａは平面図、図１ｂは側面図、図１ｃは右側面図である。１はキースイッチ群であり、２は化粧パネル、５１１はカバー、６はコネクター、７は取手、２９は蝶番（ヒンジ）である。操作時においては、左右のキースイッチ群を７１及び７２の左右の取手により内寄せし、横方向キーピッチは１９．０５ｍｍで変わることはない。折畳時に於いては７１及び７２の左右の取手により外寄せする構造となっている。６のコネクターにより外部情報端末装置に接続することができる。
【００１４】
図２はキーボード装置の折畳時の状態を示す。図２ａは平面図、図２ｂは側面図、図２ｃは図２ａの平面図を裏側より見た平面図である。２は化粧パネル、２１は左化粧パネル、２２は右化粧パネル、１１はキートップ、５は底板体、６はコネクター、６１はケーブル、７は取手である。
【００１５】
図３は左化粧パネル、図４は右化粧パネルを示す、何れもステンレス製である。２１１はガイドレールであり断面はコの字形であって、操作部ユニットがスライドする場合のガイドとなる構造となっている。２１２及び２１３はプレス成形された凹面状体であり、何れも化粧パネルの強度補強の効果がある。凹面状体２１２にはロックスプリング２３（図７）がスポット熔接で装着されている。２１４は切欠でありメンブレンシートのコネクター部が通過するためのスリットとなっている。図３及び図４より分る如く切欠による一部形状の変更によって左右何れの化粧パネルとしても使用可能であり、プレス成形の際同一金型で成形可能であり、コスト低減を考慮した構造となっている。
【００１６】
図５はハウジング組立図、図６はハウジング本体を示す。３は右ハウジング本体、３１はホルダー本体でステンレス製薄板である、３２は連結部であり、操作時において内寄せすることにより、左化粧パネル２１のコの字形のガイド内に挿入され、左右のキーボード装置を連結一体化する構造となっている。穴３４及び３５は、外寄せ或いは内寄せする際の２値の位置を決めるためのものである。
【００１７】
図７はロックスプリング２３の構造を示す図である。図７ａは平面図、図７ｂは側面図である。ロックスプリング２３は左右の化粧パネル２１及び２２の凹面体２１２にスポット熔接にて装着されており、ステンレス製の薄板である。２３１は突起であり左右操作部ユニットの内寄せ或いは外寄せの際の位置決めの役目をなし、２３２は爪状突起でありメンブレンシート４の位置決めとなっている。
【００１８】
図８はメンブレンシート４を示す図であり、上下層の２枚よりなる。４３は前方ブリッジ、４４は後方ブリッジ、４５はストッパー用逃げ穴、４６はメンブレンシートの位置決めスリット、４７はコネクター部である。
【００１９】
図９は下層メンブレンシート、図１０は上層メンブレンシートを示す。下層メンブレンシート４１には横方向配線のみがなされており、後方ブリッジ部４４には配線されていない。また上層メンブレンシート４２には縦方向配線がなされており、前方ブリッジ部４３には配線されていない。これは上下層のメンブレンシート４１及び４２により互いに相手の配線を保護するためのものであり、これによりキーボードの信頼性及び耐久性の向上に役立っている。
【００２０】
図１１は上下層メンブレンシートのボンドパターンを示す図である。図１１ａは左ボンドパターンを示し、図１１ｂは右ボンドパターンを示している。４８はエアーベントであり、接点接触時の体積変化に対応する空気逃げ用のものである。
【００２１】
図１２は底面体５の構造を示す。図１２ａは平面図、図１２ｂ及び図１２ｃは側面図である。底面体５はステンレス製であり、左化粧パネル２１の底面に５４及び５５の部分でスポット熔接されている。収納空間５１内にはコネクター６及びコネクターケーブル６１が収納され、上面部５２にはプリント基盤が装着されている。爪５３はコイルバネ５３１（図１５）取付用であり、５６は底面カバー５１１（図１３）に設けられている突起５１３の貫通用穴であり、５７は側面板５２１（図１４）取付け用ヒンジ部である。
【００２２】
図１３は底面体５のカバー５１１を示す。図１３ｃは平面図、図１３ａ及び図１３ｄは側面図、図１３ｂは下面図である。カバー５１１は合成樹脂製であり、底面体５の上面５２に装着されたプリント基板を保護している。突起５１２はコネクター６を保持し、５１３、５１４及び５１５は、ケーブル巻付け用突起であり、５１６はコイルバネ６３１の通し用切欠きである。
【００２３】
図１４は側面板５２１を示す。図１４ａは平面図、図１４ｂ及び図１４ｃは側面図である。５２２はコイルバネ５３１の取付け用留め部であり、５２３は底面体５との連結用ヒンジ部である。
【００２４】
図１５はコイルバネ５３１の取付け状態を示す図である。図１５ａはコイルバネ５３１のキーボードの折畳時の状態を示す図であり、図１５ｂはキーボードの操作時のコイルバネの伸びた状態を示す図である。５３は底面体５に設けられたバネ取付け用爪、５２２は側面板５２１に形成された取付け用留め部である。コイルバネ５３１により左右キーボードに常時閉じる力を加えることにより、落下時の衝撃等によりキーボードが開くのを防止する働きをする。
【００２５】
図１６はキーボード装置のスイッチ部断面を示す図である。図１６ａはキーボード装置を外寄せした場合の状態を示す図であり、図１６ｂは内寄せした操作時の状態を示す図である。１１はキートップ、１２はパンタグラフ、１３はドームスプリング、１４はホルダー、３１はハウジング本体、４１は下層メンブレンシート、４２は上層メンブレンシート、２２は化粧パネルである。
【００２６】
図１７は右取手７２を示す図である。図１７ａは平面図、図１７ｂ、図１７ｃ及び図１７ｄは側面図を示す。合成樹脂製であり、操作ユニットを内寄せ或いは外寄せする際の取っ手として使用する。
【００２７】
図１８は蝶番装置（ヒンジ部装置）の構造を示す、図１８ａは平面図、図１８ｂは側面図である。左右の化粧パネル２１及び２２に熔接にて装着し、左右化粧パネルを連結している。
【００２８】
【発明の効果】
本発明による折畳式キーボード装置は、操作時左右の操作ユニットを内寄せすることにより、連結一体化され膝上操作が可能であり、左右のメンブレンシートは上下２層に分離され２ヶ所でブリッジされている。一方は縦方向配線がなされ、他方には横方向配線がなされ、それぞれの対向するブリッジ部には配線しないことにより信頼性・耐久性に優れ、また小型・軽量で操作性に優れたかつ低コストのキーボード装置である。
【図面の簡単な説明】
【図１】本発明に係わるキーボード装置の操作時の全体平面図である。
【図２】本発明に係わるキーボード装置の折畳時の状態を示す外観図である。
【図３】本発明に係わるキーボード装置の左化粧パネルの外観図である。
【図４】本発明に係わるキーボード装置の右化粧パネルの外観図である。
【図５】本発明に係わるキーボード装置のハウジング組立図である。
【図６】本発明に係わるキーボード装置のハウジング本体図である。
【図７】本発明に係わるキーボード装置のロックスプリングの外観図である。
【図８】本発明に係わるキーボード装置のメンブレンシートの平面図である。
【図９】本発明に係わるキーボード装置の下層メンブレンシートの平面図である。
【図１０】本発明に係わるキーボード装置の上層メンブレンシートの平面図である。
【図１１】本発明に係わるキーボード装置のメンブレンシートのボンドパターンを示す。
【図１２】本発明に係わるキーボード装置の底面体の外観図である。
【図１３】本発明に係わるキーボード装置の底面体のカバーの構造を示す図である。
【図１４】本発明に係わるキーボード装置の側面板の外観図である。
【図１５】本発明に係わるキーボード装置のコイルバネの取付状態図である。
【図１６】本発明に係わるキーボード装置のスイッチ部断面図である。
【図１７】本発明に係わるキーボード装置の取手の外観図である。
【図１８】本発明に係わるキーボード装置の蝶番装置（ヒンジ部）外観図である。
【符号の説明】
１      キースイッチ群            ４６    位置決めスリット
１１    キートップ                ４７    コネクター部
１２    パンタグラフ              ４８    エアーベント
１３    ドームスプリング          ５      底板体
１４    ホルダー                  ５１    収納空間
２      化粧パネル                ５１１  カバー
２１    左化粧パネル              ５１２  突起
２１１  ガイドレール              ５１３  突起
２１２  凹面状体                  ５１４  突起
２１３  凹面状体                  ５１５  突起
２１４  切欠                      ５１６  切欠き
２２    右化粧パネル              ５２    上面
２３    ロックスプリング          ５２１  側面板
２３１  突起                      ５２２  留め具
２３２  突起                      ５２３  ヒンジ部
２９    蝶番装置（ヒンジ）        ５２    上面部
３      右ハウジング本体          ５３    爪
３１    ホルダー本体              ５３１  コイルバネ
３２    連結部                    ５４    底面
３４    位置決め穴                ５５    底面
３５    位置決め穴                ５６    穴
４      メンブレンシート          ５７    ヒンジ部
４１    下層メンブレンシート      ６      コネクター
４２    上層メンブレンシート      ６１    ケーブル
４３    前方ブリッジ部            ７      取手
４４    後方ブリッジ部            ７１    左取手
４５    ストッパー用逃げ穴        ７２    右取手
【図１】
2004192592.tif 000003
【図２】
2004192592.tif 000004
【図３】
2004192592.tif 000005
【図４】
2004192592.tif 000006
【図５】
2004192592.tif 000007
【図６】
2004192592.tif 000008
【図７】
2004192592.tif 000009
【図８】
2004192592.tif 000010
【図９】
2004192592.tif 000011
【図１０】
2004192592.tif 000012
【図１１】
2004192592.tif 000013
【図１２】
2004192592.tif 000014
【図１３】
2004192592.tif 000015
【図１４】
2004192592.tif 000016
【図１５】
2004192592.tif 000017
【図１６】
2004192592.tif 000018
【図１７】
2004192592.tif 000019
【図１８】
2004192592.tif 000020